(57)【要約】【課題】施工性に優れた網戸ユニットを提供する。【解決手段】網材が巻き取り及び繰り出し可能に収納された網材ボックスと、網材ボックスに取り付けられ、巻き取り及び繰り出される網材の両端部を各々案内し上下方向に沿って設けられる一対のレール材と、窓枠に固定されてレール材が各々取り付けられるアタッチメントと、を有し、レール材及びアタッチメントのうちの一方に、レール材及びアタッチメントのうちの他方側に向かって突出し、上下方向に沿って設けられ、他方と嵌合する嵌合片を有し、他方に、上下方向に沿って設けられ嵌合片が嵌合される被嵌合部が設けられている。【選択図】図５
2018003273.tif 000002
【特許請求の範囲】
【請求項１】
窓枠に取り付けられる上げ下げタイプのロール網戸を備えた網戸ユニットであって、
網材が巻き取り及び繰り出し可能に収納された網材ボックスと、
前記網材ボックスに取り付けられ、巻き取り及び繰り出される前記網材の両端部を各々案内し上下方向に沿って設けられる一対のレール材と、
前記窓枠に固定されて前記レール材が各々取り付けられるアタッチメントと、
を有し、
前記レール材及び前記アタッチメントのうちの一方に、前記レール材及び前記アタッチメントのうちの他方側に向かって突出し、上下方向に沿って設けられ、前記他方と嵌合する嵌合片を有し、
前記他方に、上下方向に沿って設けられ前記嵌合片が嵌合される被嵌合部が設けられていることを特徴とする網戸ユニット。
【請求項２】
請求項１に記載の網戸ユニットであって、
前記網材ボックスと前記レール材とは、互いの相対位置を位置決めして接合する位置決め接合部を有していることを特徴とする網戸ユニット。
【請求項３】
請求項１または請求項２に記載の網戸ユニットであって、
前記網材ボックスは、前記アタッチメント側に延びる係合片を有し、
前記アタッチメントは、前記係合片と係合し、前記嵌合片と前記被嵌合部とを対向させて配置可能な被係合部を有していることを特徴とする網戸ユニット。
【請求項４】
請求項１乃至請求項３のいずれかに記載の網戸ユニットであって、
前記窓枠は、室内外方向における一方側に配置される金属製枠材と室内外方向における他方側に配置される合成樹脂製枠材とが組み合わされている複数の枠材を有し、
前記アタッチメントは、前記窓枠に対して前記合成樹脂製枠材のみと接触する状態で前記窓枠に設けられていることを特徴とする網戸ユニットである。
【発明の詳細な説明】
【技術分野】
【０００１】
本発明は、窓枠に設けられる網戸ユニットに関する。
【背景技術】
【０００２】
窓枠に設けられる網戸ユニットとしては、上桟、下桟及び立桟からなる窓枠と、窓枠を縁取った額縁と、に固定された巻上げ式網戸が知られている（例えば、特許文献１参照）。この巻上げ式網戸は、上桟と額縁との間に形成される段部にスクリーン材の巻き取り部が固定され、立桟にスクリーン材の左右の端部を案内するガイドが固定されている。ガイドは、立桟に上下方向に互いに間隔を空けて嵌め込まれた複数のガイドホルダに、ガイドが有する係止溝を押し付け、ガイドホルダの拡径された頭部を係止溝内に位置させるとともに頭部より小径のネック部を挟持することにより取り付けられている。
【先行技術文献】
【特許文献】
【０００３】
【特許文献１】実開昭５９−１６７１９９号公報
【発明の概要】
【発明が解決しようとする課題】
【０００４】
上記の巻上げ式網戸は、上下方向に長いガイドを取り付ける為の複数のガイドホルダを、上下方向に間隔を空けて立桟に嵌め込まなければならず、また、嵌め込まれている複数のガイドホルダの頭部を係止溝内に位置させるべくガイドを順次押圧しなければならず作業が繁雑である。
本発明は、かかる課題に鑑みてなされたものであり、その目的とするところは、施工性に優れた網戸ユニットを提供することにある。
【課題を解決するための手段】
【０００５】
かかる目的を達成するために本発明の網戸ユニットは、窓枠に取り付けられる上げ下げタイプのロール網戸を備えた網戸ユニットであって、網材が巻き取り及び繰り出し可能に収納された網材ボックスと、前記網材ボックスに取り付けられ、巻き取り及び繰り出される前記網材の両端部を各々案内し上下方向に沿って設けられる一対のレール材と、前記窓枠に固定されて前記レール材が各々取り付けられるアタッチメントと、を有し、前記レール材及び前記アタッチメントのうちの一方に、前記レール材及び前記アタッチメントのうちの他方側に向かって突出し、上下方向に沿って設けられ、前記他方と嵌合する嵌合片を有し、前記他方に、上下方向に沿って設けられ前記嵌合片が嵌合される被嵌合部が設けられていることを特徴とする網戸ユニットである。
【０００６】
このような網戸ユニットによれば、レール材及びアタッチメントのうちの一方に、上下方向に沿って、他方に設けられている被嵌合部と嵌合する嵌合片が設けられているので、一方に設けられた嵌合片を他方に設けられた被嵌合部に嵌合するだけで、窓枠に固定されたアタッチメントにレール材を容易に固定することが可能である。また、レール材は網材ボックスに取り付けられているので、レール材をアタッチメントに取り付けるだけでロール網戸を窓枠に取り付けることが可能である。このため、施工性に優れた網戸ユニットを提供することが可能である。
【０００７】
かかる網戸ユニットであって、前記網材ボックスと前記レール材とは、互いの相対位置を位置決めして接合する位置決め接合部を有していることが望ましい。
このような網戸ユニットによれば、網材ボックスとレール材とが位置決め接合部により接合されることにより、接合するだけで網材ボックスとレール材とを互いに適切な相対位置に接合することが可能である。このため、網材ボックス内に巻き取り及び網材ボックスから繰り出される網材を網材ボックスとレール材との間で滑らかに移動させることが可能である。
【０００８】
かかる網戸ユニットであって、前記網材ボックスは、前記アタッチメント側に延びる係合片を有し、前記アタッチメントは、前記係合片と係合し、前記嵌合片と前記被嵌合部とを対向させて配置可能な被係合部を有していることが望ましい。
【０００９】
このような網戸ユニットによれば、網材ボックスの係合片をアタッチメントの被係合部を係合させるだけで嵌合片と被嵌合部とを対向させることが可能である。このため、更に施工性に優れた網戸ユニットを提供することが可能である。
【００１０】
かかる網戸ユニットであって、前記窓枠は、室内外方向における一方側に配置される金属製枠材と室内外方向における他方側に配置される合成樹脂製枠材とが組み合わされている複数の枠材を有し、前記アタッチメントは、前記窓枠に対して前記合成樹脂製枠材のみと接触する状態で前記窓枠に設けられていることが望ましい。
【００１１】
このような網戸ユニットによれば、アタッチメントは窓枠の合成樹脂製枠材のみと接触する状態で窓枠に設けられているので、網戸がたとえ金属製であったとしても、金属製枠材から網戸への熱の伝達が遮られている。このため、断熱性に優れた網戸ユニットを提供することが可能である。
【発明の効果】
【００１２】
本発明によれば、施工性に優れた網戸ユニットを提供することが可能である。
【図面の簡単な説明】
【００１３】
【図１】本実施形態に係る網戸ユニットを示す縦断面図である。
【図２】本実施形態に係る網戸ユニットを示す横断面図である。
【図３】本実施形態に係る網戸ユニットの構成を示す斜視図である。
【図４】ロール網戸を示す斜視図である。
【図５】図２におけるＡ部の拡大図である。
【図６】網戸の取り付けを示す縦断面図である。
【発明を実施するための形態】
【００１４】
以下、本発明の一実施形態に係る網戸ユニットについて図面を参照して説明する。
本実施形態の網戸ユニット１は、例えば、図１、図２に示すような開閉自在な障子３を備え、建物等に設けられた窓枠２に取り付けられる。本実施形態においては、窓枠２の上部に設けられ網材１１が巻き取り及び繰り出し可能に収納された網材ボックス１２から網材１１を下方に引き出して、網材１１の先端に設けられている網材框１５が窓枠２の下枠２２側にて係止されることにより室内外が網材１１で仕切られる、所謂上げ下げロール網戸（以下、網戸という）１０を備えた網戸ユニット１を例に挙げて説明する。
【００１５】
以下の説明においては、窓枠２に設けられている状態の網戸ユニット１を室内側から見たときに、上下となる方向を上下方向、左右となる方向を左右方向、室内外方向である奥行き方向を見込み方向として示す。網戸ユニット１の各部位であっても、また、網戸ユニット１を構成する各部材については単体の状態であっても、窓枠２に取り付けられた状態にて上下方向、左右方向、見込み方向となる方向にて方向を特定して説明する。
【００１６】
窓枠２は、障子３の上に位置する上枠２１と下に位置する下枠２２と、左側に位置する左縦枠２３と、右に位置する右縦枠２４とが枠組みされて形成されている。上枠２１、下枠２２、左縦枠２３及び右縦枠２４は、いずれも室外側に位置しアルミニウムでなる金属製枠材２１１、２２１、２３１、２４１と、室内側に位置し合成樹脂でなる合成樹脂製枠材２１２、２２２、２３２、２４２とを有している。上枠２１、下枠２２、左縦枠２３及び右縦枠２４はいずれも、窓枠２を構成する枠部材であり、金属製枠材２１１、２２１、２３１、２４１の室内側の部位と、合成樹脂製枠材２１２、２２２、２３２、２４２の室外側の部位とが結合されて一体化されている。また、窓枠２は、枠組みされた状態で外周側に、四方に突出されている躯体固定部２１１ａ、２２１ａ、２３１ａ、２４１ａが室外側から躯体６にビス止めされている。
【００１７】
左縦枠２３と右縦枠２４とは、左右が反転された同一の横断面形状をなしている。このため、左縦枠２３と右縦枠２４の構成を、左縦枠２３を例に挙げて説明し、以下の説明では、右縦枠２４の共通する部位に、右縦枠を示す「２４」に同一の部位に付されているアルファベットを付して示すものとする。また、以下の説明においては、左右方向については、左縦枠２３と右縦枠２４において同一の表現となるように、左縦枠２３の右側を窓枠２の内周側（以下、単に内周側という）、左縦枠２３の左側を窓枠２の外周側(以下、単に外周側という)として説明する。
【００１８】
左縦枠２３は、前述したように、室外側に位置する金属製枠材２３１と、室内側に位置する合成樹脂製枠材２３２と、を有し、金属製枠材２３１の室内側の部位と合成樹脂製枠材２３２の室外側の部位とがかしめられて一体化されている。
【００１９】
合成樹脂製枠材２３２は、金属製枠材２３１の室内側に設けられた額縁４の、見込み方向に沿う内周面４ａと対向する額縁対向壁部２３２ａと、額縁対向壁部３２ａの室外側の端に設けられ金属製枠材２３１と係合する室外係合部２３２ｂと、を有している。
網戸ユニット１は、図３に示すように、網戸１０と、網戸１０を窓枠２に取り付けるための２つのアタッチメント５とを有している。
【００２０】
網戸１０は、図４に示すように、網材１１と、窓枠２の上部に配置されて網材１１が巻き付けられて収納されている網材ボックス１２と、網材ボックス１２に取り付けられて上げ下げされる網材１１の左右の端部を網材１１の下端に設けられた網材框１５とともに案内する左右のレール材１４と、を有している。網材１１の左右の縁には、左右のレール材１４に沿って移動可能に保持される縁部材１１ａが設けられている。
【００２１】
網戸１０は、網材１１の左右の縁部材１１ａが左右のレール材１４と係合しつつ網材ボックス１２から繰り出され、網材框１５が左右のレール材１４の下端側にて係止されることにより、網材ボックス１２、左右のレール材１４及び下枠２２により形成されている矩形状の開口１０ａが網材１１で覆われるように構成されている。
【００２２】
網材ボックス１２は、網材１１が巻き付けられた軸体１１ｂを収容し左右方向に貫通する本体部１２１と、本体部１２１の両端部を塞ぐとともに軸体１１ｂを支持する端部キャップ１２２と、を有している。
【００２３】
本体部１２１は、軸体１１ｂの上にほぼ水平に設けられる上板部１２１ａ及び上板部１２１ａと繋がって軸体１１ｂの室外側に壁部をなす外壁部１２１ｂを有するフレーム１２１ｃと、軸体１１ｂの室内側から下側に渡って配置されて上板部１２１ａの室内側の縁にて回動自在に支持された蓋部１２１ｄと、を有している。外壁部１２１ｂの下端と蓋部１２１ｄの室外側の縁とは、見込み方向に間隔が空けられて網材１１が引き出されたり巻き戻されたりする開口１２ａをなしている。また、上板部１２１ａは、外壁部１２１ｂより室外側に延出されており、室外側の先端に垂設された外垂壁部１２１ｅを有している。
【００２４】
端部キャップ１２２には、図３〜図５に示すように、下方に突出して左右のレール材１４に挿入されるレール挿入部１２２ａを有しており、レール挿入部１２２ａの外周側の側面には、外周側に向かって突出し、左右のレール材１４に各々設けられている係止孔１４ａに嵌合される突出片１２２ｂが設けられている。突出片１２２ｂは、レール挿入部１２２ａに設けられた開孔１２２ｃの内側に設けられ、開孔１２２ｃの下縁から延出されている突出片１２２ｂの上端側が、レール挿入部１２２ａの側面より外周側に突出している。そして、突出片１２２ｂは、弾性により下縁部を軸として内外周方向に揺動自在に設けられており、突出片１２２ｂの上端側が外周側から内周側に押圧された際に、開孔１２２ｃ内に移動し、押圧が解除されると外周側に突出する。ここで、突出片１２２ｂと係止孔１４ａとが、網材ボックス１２とレール材１４との、互いの相対位置を位置決めして接合する位置決め接合部に相当する。
【００２５】
左右のレール材１４は、網材１１の縁部材１１ａがそれぞれ収容されるインナーレール１４１と、インナーレール１４１を収容するインナーレール収容部１４２ａを有しアタッチメント５を介して窓枠２に取り付けられる本体レール材１４２と、を有している。インナーレール１４１及び本体レール材１４２とは、いずれも上下方向を押出方向とするアルミニウム製の押出成形部材であり、インナーレール１４１及び左右の本体レール材１４２は、左右が反転された同一の横断面形状をなしている。ここで、インナーレール１４１は樹脂材でも良く、またインナーレール１４１及び本体レール材１４２の何れもが樹脂材であっても構わない。
【００２６】
インナーレール１４１は、長手方向に貫通する中空部１４１ａを有しており、長手方向に沿って形成されたスリット１４１ｂにより中空部１４１ａと外部とが連通されている。網材１１は、スリット１４１ｂに挿通されるとともにインナーレール１４１の中空部１４１ａに縁部材１１ａが各々収容されて、左右のレール材１４の間に張設される。
【００２７】
左右の本体レール材１４２は、内周側が開放されてインナーレール１４１が収容されるインナーレール収容部１４２ａと、インナーレール収容部１４２ａの室内側に間隔を空けて設けられ見込み方向に沿うリブ１４２ｂによりインナーレール収容部１４２ａと繋がって左右方向に沿う面を有する室内板部１４２ｃと、インナーレール収容部１４２ａと左右方向に間隔を空けて設けられ、室内板部１４２ｃの外周側の端から見込み方向室外側に延出された見込み方向延出部１４２ｄと、インナーレール収容部１４２ａの室外側から見込み方向室外側に延出された室外延出部１４２ｅと、見込み方向延出部１４２ｄ及び室外延出部１４２ｅの室外側の端にそれぞれほぼ全長に渡って設けられアタッチメント５に嵌合される２つの嵌合片１４２ｆと、を有している。見込み方向延出部１４２ｄには、網材ボックス１２の端部キャップ１２２に設けられている突出片１２２ｂが係止される係止孔１４ａが設けられている。
【００２８】
リブ１４２ｂより内周側のインナーレール収容部１４２ａと室内板部１４２ｃとの間には、網材框１５の端部１５ａが収容されており、網材１１が上げ下げされる際に網材框１５が案内されるように構成されている。
【００２９】
左縦枠２３及び右縦枠２４に各々設けられる２つのアタッチメント５は、いずれも上下方向を押出方向とするアルミニウム製の押出成形部材であり、左右が反転された同一の横断面形状をなしている。
【００３０】
各アタッチメント５は、合成樹脂製枠材２３２の額縁対向壁部２３２ａと内周側にて対向する内枠対向壁部５ａと、内枠対向壁部５ａの室外側の端から外周側に延出されて、合成樹脂製枠材２３２の先端係合部２３２ｂにおける室外側の面に室外側から当接される内枠当接部５ｂと、内枠対向壁部５ａから内周側に突出させて設けられ、網戸１０の左右のレール材１４が嵌合される被嵌合部５ｃと、を有している。
【００３１】
被嵌合部５ｃは、左右方向に沿う縦壁部５ｄと、縦壁部５ｄの内周側の先端部に室内側に向かって開放されて室外側に窪む凹部５ｅを有している。凹部５ｅは、内外周方向に間隔を空けるとともに内外周方向にて対向する２つの対向壁部５ｆの室外側の縁を連結する連結壁部５ｇとを有している。２つの対向壁部５ｆの室内側の縁には、互いに対向する側に突出しレール材１４の２つの嵌合片１４２ｆが嵌合される２つの被嵌合突起５ｈがそれぞれアタッチメント５のほぼ全長に渡って設けられている。
【００３２】
アタッチメント５に設けられている被嵌合部５ｃは、上下方向に沿って設けられ室内側に開放された開口部５ｉの室外側に、開口部５ｉの幅より広い凹部５ｅが設けられており、レール材１４に設けられた２つの嵌合片１４２ｆが２つの被嵌合突起５ｈに係止される。このため、内外周方向に間隔を空けて設けられている２つの嵌合片１４２ｆは、室外側の先端が２つの被嵌合突起５ｈに接触し、レール材１４が室外側に押圧されることにより、２つの嵌合片１４２ｆの間隔が狭まるようにレール材１４が弾性変形し、嵌合片１４２ｆが被嵌合突起５ｈより室外側に移動されることにより２つの嵌合片１４２ｆの間隔が広がってレール材１４が取り付けられる。
【００３３】
このとき、２つの嵌合片１４２ｆのうちの外周側の嵌合片１４２ｆは、レール材１４のうちの剛性が高いインナーレール収容部１４２ａと繋がった室内側のリブ１４２ｂ、室内板部１４２ｃ及び見込み方向延出部１４２ｄと繋がって設けられており、一方、内周側の嵌合片１４２ｆはインナーレール収容部１４２ａと繋がった室外側の室外延出部１４２ｅのみと繋がって設けられている。インナーレール収容部１４２ａと室内側にて繋がるリブ１４２ｂから外周側の嵌合片１４２ｆまでの距離は、インナーレール収容部１４２ａと室外側にて繋がる室外延出部１４２ｅから内周側の嵌合片１４２ｆまでの距離より長く形成されている。このため、レール材１４をアタッチメント５に取り付ける際にレール材１４が室外側に押圧されると、外周側の嵌合片１４２ｆに繋がる部位がより大きく変形する。
【００３４】
アタッチメント５の上端部には、網戸１０を取り付ける際に網材ボックス１２の外壁部１２１ｂより室外側に延出されている係合片としての上板部１２１ａ及び外垂壁部１２１ｅが掛けられる、被係合部としての切欠部５ｊが設けられている。切欠部５ｊは、連結壁部５ｇと内周側の対向壁部５ｆの上端部の内周側の部位が切り欠かれて形成されている。
【００３５】
また、アタッチメント５の連結壁部５ｇには、室内側に突出する突部５ｋが設けられている。突部５ｋは、網戸１０がアタッチメント５に取り付けられたときに、レール材１４の上縁１４ｃと突部５ｋとの距離Ｌ１が、アタッチメント５の切欠部５ｊの下側にて外垂壁部１２１ｅと見込み方向に重なる距離Ｌ２より小さくなるように配置されている。このため、レール材１４を上方に持ち上げてもレール材１４の上縁１４ｃが突部５ｋに当接するので外垂壁部１２１ｅがアタッチメント５の切欠部５ｊから外れることはなく、網戸１０が外れてしまうことはない。
【００３６】
躯体６に取り付けられている窓枠２に網戸１０を取り付ける場合には、予め、網材ボックス１２に左右のレール材１４を取り付けておく。このとき、網材ボックス１２に設けられている突出片１２２ｂをレール材１４に設けられている係止孔１４ａに嵌合することにより、レール材１４の上端部が網材ボックス１２の開口１２ａ内に挿入されて網材１１が滑らかに移動できる位置に位置決めされる。
【００３７】
そして、まず、アタッチメント５を左縦枠２３の合成樹脂製枠材２３２と右縦枠２４の合成樹脂製枠材２４２に取り付ける。このとき、アタッチメント５の内枠当接部５ｂを、左縦枠２３の先端係合部２３２ｂ及び右縦枠２４の先端係合部２４２ｂに室外側から当接させて位置決めし、額縁対向壁部２３２ａ、２４２ａと左右方向において重なっている内枠対向壁部５ａの、縦壁部５ｄより室内側にて、額縁対向壁部２３２ａ、２４２ａとともにビス７にて額縁４及び躯体６に固定する。
【００３８】
次に、窓枠２に取り付けられたアタッチメント５の上端部に設けられた切欠部５ｊに、網戸１０の網材ボックス１２が有する上板部１２１ａの垂設された外垂壁部１２１ｅを引っ掛ける。このとき、図６に示すように、網戸１０の上端側が下端側より室外側に位置するように網戸１０を傾斜させつつ、上板部１２１ａの外垂壁部１２１ｅを連結壁部５ｇより室外側に移動し、網材ボックス１２により、上枠２１の合成樹脂製枠材２１２との間に介在される、例えばスポンジなどの発泡性部材１６を上方に圧縮する。また、これにより、左右のレール材１４の嵌合片１４２ｆと、アタッチメント５の被嵌合部５ｃとが見込み方向において対向する。
【００３９】
次に、左右のレール材１４の嵌合片１４２ｆがアタッチメント５の被嵌合部５ｃに係止されるように網戸１０を室外側に押圧しつつ網戸１０を下枠２２上に載置する。このとき、アタッチメント５に設けられた突部５ｋが、レール材１４の上縁１４ｃの上に配置されて網戸１０の上下方向の移動が規制される。
【００４０】
本実施形態の網戸ユニット１によれば、レール材１４に、上下方向に沿って、アタッチメント５に設けられている被嵌合部５ｃと嵌合する嵌合片１４２ｆが設けられているので、レール材１４に設けられた嵌合片１４２ｆをアタッチメント５に設けられた被嵌合部５ｃを嵌合するだけで、窓枠２に固定されたアタッチメント５にレール材１４を固定することが可能である。このとき、また、レール材１４は網材ボックス１２に取り付けられているので、レール材１２をアタッチメント５に取り付けるだけで網戸１０を窓枠２に取り付けることが可能である。このため、施工性に優れた網戸ユニット１を提供することが可能である。
【００４１】
また、網材ボックス１２とレール材１４とが、網材ボックス１２の突出片１２２ｂがレール材１４の係止孔１４ａに係止されて接合されることにより、例えば、網材ボックス１２とレール材１４を別個に窓枠２側に取り付ける場合より、網材ボックス１２とレール材１４とを互いに適切な位置に配置して接合することが可能である。また、網材ボックス１２とレール材１４とを接合するだけで、網材ボックス１２に巻き取り及び網材ボックス１２から繰り出される網材１１を滑らかにレール材１４に移動させることが可能である。
【００４２】
また、網材ボックス１２の上板部１２１ａ及び外垂壁部１２１ｅをアタッチメント５の切欠部５ｊに係合させるだけでレール材１４の嵌合片１４２ｆとアタッチメント５の被嵌合部５ｃとを対向させることが可能なので、更に施工性に優れた網戸ユニット１を提供することが可能である。
【００４３】
また、アタッチメント５は窓枠２の合成樹脂製枠材２３２，２４２のみと接触する状態で窓枠２に設けられているので、網戸１０がたとえ金属製であったとしても、金属製枠材２３１、２４１から網戸１０への熱の伝達が遮られている。このため、断熱性に優れた網戸ユニット１を提供することが可能である。
【００４４】
上記実施形態においては、レール材１４に嵌合片１４２ｆが設けられ、アタッチメント５に被嵌合部５ｃが設けられている例について説明したが、アタッチメントに嵌合片が設けられ、レール材に被嵌合部が設けられていても構わない。
【００４５】
上記実施形態においては、室外側にアルミニウムでなる金属製枠材２１１、２２１、２３１、２４１が位置し、室内側に合成樹脂でなる剛性樹脂製枠材２１２、２２２、２３２、２４２が位置する例について説明したが、室外側に合成樹脂製枠材が位置し、室内側に金属製枠材が設けられていても構わない。
【００４６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４７】
１  網戸ユニット、２  窓枠、５  アタッチメント、５ｃ  被嵌合部、
５ｊ  切欠部、１０  網戸、１１  網材、１２  網材ボックス、１４  レール材、
２１  上枠、２２  下枠、２３  左縦枠、２４  右縦枠、１２２ｂ  突出片、
１２１ａ  上板部、１２１ｅ  外垂壁部、１４２ｆ  嵌合片、２１１  外枠部材、
２２１外枠部材、２３１  外枠部材、２４１  外枠部材、２１２  内枠部材、
２２２  内枠部材、２３２  内枠部材、２４２  内枠部材、
【図１】
2018003273.tif 000003
【図２】
2018003273.tif 000004
【図３】
2018003273.tif 000005
【図４】
2018003273.tif 000006
【図５】
2018003273.tif 000007
【図６】
2018003273.tif 000008